(57)【要約】【課題】利用者にとっての利便性を高めることができる処理装置、処理システム、ＩＣカード、および発券機を提供することである。【解決手段】  実施形態の処理装置は、通信部と、光学読取部と、判定部と、処理部とを持つ。通信部は、ＩＣカードと通信を行う。光学読取部は、前記ＩＣカードが表示する情報を光学的に読み取る。判定部は、前記光学読取部により読み取られた情報に基づいて、前記ＩＣカードを利用する利用者が、前記ＩＣカードの第１の面に対応付けられた利用の意図を有するか、前記ＩＣカードの第２の面に対応付けられた利用の意図を有するかを判定する。処理部は、前記判定部による判定結果に基づいて、前記利用の意図に応じた処理を実行し、実行結果に基づく通信を前記通信部に行わせる。【選択図】図２
2016057686.tif 000002
【特許請求の範囲】
【請求項１】
ＩＣカードと通信を行う通信部と、
前記ＩＣカードが表示する情報を光学的に読み取る光学読取部と、
前記光学読取部により読み取られた情報に基づいて、前記ＩＣカードを利用する利用者が、前記ＩＣカードの第１の面に対応付けられた利用の意図を有するか、前記ＩＣカードの第２の面に対応付けられた利用の意図を有するかを判定する判定部と、
前記判定部による判定結果に基づいて、前記利用の意図に応じた処理を実行し、実行結果に基づく通信を前記通信部に行わせる処理部と、
を備える処理装置。
【請求項２】
前記判定部は、前記光学読取部により読み取られた情報が、前記ＩＣカードの第１の面に表示された情報であるか、前記ＩＣカードの第２の面に表示された情報であるかを判定することにより、前記ＩＣカードを利用する利用者が、前記ＩＣカードの第１の面に対応付けられた利用の意図を有するか、前記ＩＣカードの第２の面に対応付けられた利用の意図を有するかを判定する、
請求項１記載の処理装置。
【請求項３】
自動改札機として用いられる請求項１または２記載の処理装置であって、
前記処理部は、
前記判定部により、利用者が前記ＩＣカードの第１の面に対応付けられた利用の意図を有すると判定された場合、前記ＩＣカードが保持する第１の情報に基づく運賃収受を行い、
前記判定部により、利用者が前記ＩＣカードの第２の面に対応付けられた利用の意図を有すると判定された場合、前記ＩＣカードが保持する第２の情報に基づく運賃収受を行う、
処理装置。
【請求項４】
前記第１の情報は、電子マネーのチャージ残高であり、
前記第２の情報は、回数券に関する情報である、
請求項３記載の処理装置。
【請求項５】
前記第１の情報は、私用としての電子マネーのチャージ残高であり、
前記第２の情報は、私用でない電子マネーのチャージ残高である、
請求項３記載の処理装置。
【請求項６】
請求項１から５のうちいずれか１項記載の処理装置と、
第１の面と第２の面のそれぞれに前記光学読取部によって読み取り可能な情報を表示するＩＣカードであって、前記処理装置と通信を行う通信部、情報を記憶する記憶部、および、前記通信部を介して、前記第１の面と前記第２の面のそれぞれに対応した処理結果を受信し、受信結果を前記記憶部に書き込む制御部を備えるＩＣカードと、
を備える処理システム。
【請求項７】
ＩＣカードと通信を行う通信部と、
前記ＩＣカードが表示する情報を光学的に読み取る光学読取部と、
前記光学読取部により読み取られた情報が、前記ＩＣカードの第１の面に表示された情報であるか、前記ＩＣカードの第２の面に表示された情報であるかを判定する判定部と、
前記判定部による判定結果に基づいて、前記ＩＣカードの第１の面に対応付けられた処理または前記ＩＣカードの第２の面に対応付けられた処理を実行し、実行結果に基づく通信を前記通信部に行わせる処理部と、
を備える処理装置。
【請求項８】
第１の面と第２の面のそれぞれに光学読取部によって読み取り可能な情報を表示するＩＣカードであって、
処理装置と通信を行う通信部と、
情報を記憶する記憶部と、
前記通信部を介して、前記第１の面と前記第２の面のそれぞれに対応した処理結果を受信し、受信結果を前記記憶部に書き込むＩＣカード制御部と、
を備えるＩＣカード。
【請求項９】
前記第１の面に、前記第１の面を上向きにして前記処理装置に翳した場合に行われる処理を表す情報であって、人によって内容を認識可能な情報を表示し、
前記第２の面に、前記第２の面を上向きにして前記処理装置に翳した場合に行われる処理であって、人によって内容を認識可能な情報を表示する、
請求項８記載のＩＣカード。
【請求項１０】
前記第１の面に、前記第１の面を下向きにして前記処理装置に翳した場合に行われる処理を表す情報であって、人によって内容を認識可能な情報を表示し、
前記第２の面に、前記第２の面を下向きにして前記処理装置に翳した場合に行われる処理であって、人によって内容を認識可能な情報を表示する、
請求項８記載のＩＣカード。
【請求項１１】
請求項８から１０のうちいずれか１項記載のＩＣカードを発券する発券機。
【発明の詳細な説明】
【技術分野】
【０００１】
本発明の実施形態は、処理装置、処理システム、ＩＣカード、および発券機に関する。
【背景技術】
【０００２】
交通系カードや金融系カードなどのＩＣ（Integrated  Circuit）カードが普及している。ＩＣカードは、非接触または接触により、自動改札機や現金自動預け払い機（ＡＴＭ；Automated  Teller  Machine）などの処理装置と通信を行う。通信相手の処理装置は、ＩＣカードに対して情報の書き込み等の処理を行う。こうした処理装置の側において、通信だけではなく、光学的な手段によって情報を読み取ることについて実用化が進められている。しかしながら、従来の技術では、利用者にとっての利便性が十分でない場合があった。
【先行技術文献】
【特許文献】
【０００３】
【特許文献１】特開２０１１−１１３３１９号公報
【発明の概要】
【発明が解決しようとする課題】
【０００４】
本発明が解決しようとする課題は、利用者にとっての利便性を高めることができる処理装置、処理システム、ＩＣカード、および発券機を提供することである。
【課題を解決するための手段】
【０００５】
実施形態の処理装置は、通信部と、光学読取部と、判定部と、処理部とを持つ。通信部は、ＩＣカードと通信を行う。光学読取部は、前記ＩＣカードが表示する情報を光学的に読み取る。判定部は、前記光学読取部により読み取られた情報に基づいて、前記ＩＣカードを利用する利用者が、前記ＩＣカードの第１の面に対応付けられた利用の意図を有するか、前記ＩＣカードの第２の面に対応付けられた利用の意図を有するかを判定する。処理部は、前記判定部による判定結果に基づいて、前記利用の意図に応じた処理を実行し、実行結果に基づく通信を前記通信部に行わせる。
【図面の簡単な説明】
【０００６】
【図１】実施形態に係る自動改札機１０の外観構成図。
【図２】第１実施形態に係るＩＣカードＩ／Ｆ部２０と、自動改札機１０を制御する制御部５０を中心とした機能構成図。
【図３】実施形態のリーダライタ２２のアンテナ２２Ａ、カメラ２４、およびライト２６の位置関係を例示した図。
【図４】第１の実施形態に係るＩＣカード１００が保持する情報の一例を示す図。
【図５】第１の実施形態に係るＩＣカード１００の外観図。
【図６】実施形態のＩＣカード１００の内部構成を示す分解斜視図。
【図７】実施形態のＩＣカード１００を発券する発券機２００の構成図。
【図８】第１の実施形態に係る自動改札機１０により実行される入場処理の流れを示すフローチャート。
【図９】第１の実施形態に係る自動改札機１０により実行される出場処理の流れを示すフローチャート。
【図１０】第２の実施形態に係るＩＣカードＩ／Ｆ部２０と、自動改札機１０を制御する制御部５０を中心とした機能構成図。
【図１１】第２の実施形態に係るＩＣカード１００が保持する情報の一例を示す図。
【図１２】第２の実施形態に係る自動改札機１０により実行される入場処理の流れを示すフローチャート。
【図１３】第２の実施形態に係る自動改札機１０により実行される出場処理の流れを示すフローチャート。
【図１４】第３の実施形態に係るＩＣカードＩ／Ｆ部２０と、自動改札機１０を制御する制御部５０を中心とした機能構成図。
【図１５】第３の実施形態に係るＩＣカード１００が保持する情報の一例を示す図。
【図１６】第３の実施形態に係るＩＣカード１００の外観図。
【図１７】第３の実施形態に係る自動改札機１０により実行される入場処理の流れを示すフローチャート。
【図１８】第３の実施形態に係る自動改札機１０により実行される出場処理の流れを示すフローチャート。
【発明を実施するための形態】
【０００７】
以下、実施形態の処理装置、処理システム、ＩＣカード、および発券機を、図面を参照して説明する。
【０００８】
（第１の実施形態）
以下、第１の実施形態について説明する。第１の実施形態に係る処理装置は、鉄道の駅等に設置される自動改札機である。図１は、実施形態に係る自動改札機１０の外観構成図である。自動改札機１０は、第１の方向（図中、Ａ方向）に移動する利用者（乗客）に対して改札処理を行う自動改札機１０Ａと、第２の方向（図中、Ｂ方向）に移動する利用者に対して改札処理を行う自動改札機１０Ｂの２つを対面させてセットで使用される場合がある。以下、セットで使用される場合において、いずれの自動改札機であるかを区別しないときは、単に自動改札機１０と称して説明する。また、自動改札機１０は、セットで使用されるのではなく、単体で、一方向にのみ利用者の通行を許可するように用いられてもよい。また、自動改札機１０が設置された駅を、当該駅と称する。
【０００９】
図１に示すように、自動改札機１０は、磁気券投入口１２と、磁気券排出口１４と、ＩＣカードＩ／Ｆ（インターフェース）部２０と、表示部３０と、扉部４０、４２とを備える。磁気券投入口１２に投入された磁気券は、内部の搬送機構で搬送されながら図示しない磁気券処理部によって情報が読み取られ、必要に応じて磁気券排出口１４から排出される。ＩＣカードＩ／Ｆ部２０は、例えば、利用者によって翳されたＩＣカード１００と通信を行うリーダライタ（後述）と、翳されたＩＣカード１００を撮像するカメラ（後述）を備える。なお、ＩＣカードＩ／Ｆ部２０は、ＩＣカードの他、決済機能を有する携帯電話等の電子デバイスとも通信を行うことが可能である。表示部３０は、磁気券またはＩＣカード１００を処理した結果として得られる情報（チャージ残額等）を表示する。扉部４０は、自装置を利用した利用者の通行を、許可または禁止する。扉部４２は、セットで使用される反対側の自動改札機１０を利用した利用者の通行を、許可または禁止する。なお、図１では、処理装置がＩＣ磁気併用機である例を示したが、処理装置はＩＣ専用機であってもよい。
【００１０】
図２は、第１の実施形態に係るＩＣカードＩ／Ｆ部２０と、自動改札機１０を制御する制御部５０を中心とした機能構成図である。ＩＣカードＩ／Ｆ部２０は、リーダライタ２２と、カメラ２４と、ライト２６とを備える。リーダライタ２２は、例えば電磁誘導方式によりＩＣカード１００に給電すると共に、ＩＣカード１００と無線通信を行う。この無線通信は、例えば１３.５６［ＭＨｚ］といったＩＳＭバンドで行われる。リーダライタ２２は、ＩＣカード１００から所定の方式でエンコードされた情報を読み込む。また、リーダライタ２２は、エンコードされた情報をＩＣカード１００に書き込む。カメラ２４は、利用者によってＩＣカードＩ／Ｆ部２０の上方に翳されたＩＣカード１００を撮像する。ライト２６は、カメラ２４が撮像動作を行う際に、ＩＣカード１００を照射する。リーダライタのアンテナは、例えばカメラ２４の光軸を囲むように巻き回される。図３は、実施形態のリーダライタ２２のアンテナ２２Ａ、カメラ２４、およびライト２６の位置関係を例示した図である。図中、２４Ａはカメラ２４の光軸である。なお、カメラ２４やライト２６の動作タイミングについては任意に設定されてよい。
【００１１】
制御部５０は、デコード部５２と、エンコード部５４と、ＳＦ（Stored  Fare  system）処理部５６と、回数券処理部５８と、情報読取部６０と、利用面判定部６２と、表示制御部６４と、扉制御部６６とを備える。これらの機能部は、例えばＣＰＵ（Central  Processing  Unit）等のプロセッサがプログラムメモリに格納されたプログラムを実行することにより機能するソフトウェア機能部である。また、これらの機能部のうち一部または全部は、ＬＳＩ（Large  Scale  Integration）やＡＳＩＣ（Application  Specific  Integrated  Circuit）等のハードウェア機能部であってもよい。例えば、デコード部５２とエンコード部５４は、リーダライタ２２に内蔵されるハードウェアであってもよい。
【００１２】
デコード部５２は、リーダライタ２２がＩＣカード１００から読み取ったエンコード情報をデコードし、他の機能部に出力する。エンコード部５４は、他の機能部により指示された情報をエンコードし、リーダライタ２２に出力する。リーダライタ２２は、エンコード部５４から入力された情報をＩＣカード１００に書き込む。
【００１３】
ＳＦ処理部５６は、ＩＣカード１００が保持する電子マネーのチャージ残高に基づく運賃収受を行う。ここで、ＩＣカード１００が保持する情報について説明する。図４は、第１の実施形態に係るＩＣカード１００が保持する情報の一例を示す図である。第１の実施形態に係るＩＣカード１００は、自身の識別情報であるＩＤ、入場駅、経由駅、出場駅、チャージ残高、回数券残り回数、回数券１回分の運賃、過去の履歴などの情報を保持している。なお、ＩＣカード１００は、各履歴において運賃に代えてチャージ残高を保持してもよい。
【００１４】
入場処理を行う場合、ＳＦ処理部５６は、電子マネーのチャージ残高が当該駅からの最低運賃以上であるか否かを判定する。電子マネーのチャージ残高が当該駅からの最低運賃以上である場合、ＳＦ処理部５６は、例えば、入場駅情報をＩＣカード１００に書き込むようにエンコード部５４およびリーダライタ２２に指示し、チャージ残高等を表示部２０に表示させるように表示制御部６４に指示し、扉部４０を開放状態にするように扉制御部６６に指示する。一方、チャージ残高が当該駅からの最低運賃未満である場合、ＳＦ処理部５６は、例えば、残高不足である旨の情報を表示部２０に表示させるように表示制御部６４に指示し、扉部４０を閉止状態にするように扉制御部６６に指示する。
【００１５】
出場処理を行う場合、ＳＦ処理部５６は、ＩＣカード１００が保持する入場駅および経由駅の情報を用いて図示しない運賃テーブルを検索し、運賃を導出する。そして、ＳＦ処理部５６は、チャージ残高が運賃以上であるか否かを判定する。チャージ残高が運賃以上である場合、ＳＦ処理部５６は、例えば、チャージ残高から運賃を差し引いた更新後のチャージ残高をＩＣカード１００に書き込むようにエンコード部５４に指示し、更新後のチャージ残高を表示部２０に表示させるように表示制御部６４に指示し、扉部４０を開放状態にするように扉制御部６６に指示する。一方、チャージ残高が運賃未満である場合、ＳＦ処理部５６は、例えば、チャージを促す情報を表示部２０に表示させるように表示制御部６４に指示し、扉部４０を閉止状態にするように扉制御部６６に指示する。
【００１６】
また、経由駅処理を行う場合、ＳＦ処理部５６は、出場処理を行った後、経由駅情報に当該駅の情報をＩＣカード１００に書き込むようにエンコード部５４に指示する。
【００１７】
回数券処理部５８は、ＩＣカード１００が保持する回数券情報（回数券残り回数、および回数券１回分の運賃）に基づく運賃収受を行う。
【００１８】
入場処理を行う場合、回数券処理部５８は、回数券残り回数が１回以上であり、且つ回数券１回分の運賃が当該駅からの最低運賃以上であるか否かを判定する。回数券残り回数が１回以上であり、且つ回数券１回分の運賃が当該駅からの最低運賃以上である場合、回数券処理部５８は、例えば、入場駅情報をＩＣカード１００に書き込むようにエンコード部５４およびリーダライタ２２に指示し、回数券での入場である旨の情報を表示部２０に表示させるように表示制御部６４に指示し、扉部４０を開放状態にするように扉制御部６６に指示する。一方、回数券残り回数が０回以上である場合、または回数券１回分の運賃が当該駅からの最低運賃未満である場合、回数券処理部５８は、例えば、回数券での入場が不可である旨の情報を表示部２０に表示させるように表示制御部６４に指示し、扉部４０を閉止状態にするように扉制御部６６に指示する。
【００１９】
出場処理を行う場合、回数券処理部５８は、ＩＣカード１００が保持する入場駅および経由駅の情報を用いて図示しない運賃テーブルを検索し、運賃を導出する。そして、回数券処理部５８は、回数券１回分の運賃が、上記導出した運賃以上であるか否かを判定する。回数券１回分の運賃が、上記導出した運賃以上である場合、回数券処理部５８は、例えば、扉部４０を開放状態にするように扉制御部６６に指示する。回数券１回分の運賃が、上記導出した運賃未満である場合、回数券処理部５８は、例えば、精算機による清算を促す情報を表示部２０に表示させるように表示制御部６４に指示し、扉部４０を閉止状態にするように扉制御部６６に指示する。
【００２０】
ここで、ＳＦ処理部５６と回数券処理部５８のいずれが処理を行うかは、情報読取部６０および利用面判定部６２の処理によって決定される。以下、これについて説明する。情報読取部６０は、カメラ２４により撮像されたＩＣカード１００の画像を解析し、ＩＣカード１００が表示する情報を読み取る。利用面判定部６２は、情報読取部６０により読み取られた情報が、ＩＣカード１００の第１の面において表示された情報であるか、ＩＣカード１００の第２の面において表示された情報であるかを判定する。
【００２１】
図５は、第１の実施形態に係るＩＣカード１００の外観図である。ＩＣカード１００の第１の面１００−１には、第１の二次元コード１０２―１と、例えば「通常チャージ」といった、人により認識可能な可視情報１０４−１とが印刷されている。一方、ＩＣカード１００の第２の面１００−２には、第２の二次元コード１０２―２と、例えば「回数券」といった、人により認識可能な可視情報１０４−２とが印刷されている。
【００２２】
実施形態の自動改札機１０は、利用者によって、ＩＣカード１００が第１の面１００―１を上向きにして翳された場合、すなわち、反対側の第２の面１００―２がカメラ２４によって撮像された場合、第１の面１００―１に表示された「通常チャージ」に対応付けられた利用の意図（第１の面に対応付けられた利用の意図）を有すると判定する。従って、利用面判定部６２は、情報読取部６０により読み取られた情報が第２の二次元コード１０２―２に基づく情報である場合、電子マネーのチャージ残高に基づく処理をＳＦ処理部５６に行わせる。第２の二次元コード１０２―２は、電子マネーのチャージ残高に基づく処理を示す識別情報等を含んでいる。
【００２３】
一方、実施形態の自動改札機１０は、利用者によって、ＩＣカード１００が第２の面１００―２を上向きにして翳された場合、すなわち、反対側の第１の面１００―１がカメラ２４によって撮像された場合、第２の面１００―２に表示された「回数券」に対応付けられた利用の意図（第２の面に対応付けられた利用の意図）を有すると判定する。従って、利用面判定部６２は、情報読取部６０により読み取られた情報が第１の二次元コード１０２―１に基づく情報である場合、回数券情報に基づく処理を回数券処理部５８に行わせる。第１の二次元コード１０２―１は、回数券情報に基づく処理を示す識別情報等を含んでいる。
【００２４】
これらによって、ＩＣカード１００を利用する利用者は、手前側に見えている可視情報１０４―１または可視情報１０４―２に対応する運賃処理を受けることができる。この結果、実施形態の自動改札機１０は、直感的に分かりやすいＩＣカード１００の利用の態様を提供することができる。
【００２５】
なお、ＩＣカード１００において、可視情報１０４−１および可視情報１０４−２の表示は省略されてもよく、抽象的なマーク、色彩等に置換されてもよい。また、二次元コードに代えて、ＩＣカード１００の翳された面を識別可能な他の種類の情報が表示されてもよい。また、上記とは逆に、利用面判定部６２は、ＩＣカード１００が第１の面１００―１を上向きにして翳された場合、回数券情報に基づく処理を回数券処理部５８に行わせ、ＩＣカード１００が第２の面１００―２を上向きにして翳された場合、電子マネーのチャージ残高に基づく処理をＳＦ処理部５６に行わせてもよい。
【００２６】
ここで、ＩＣカード１００の内部構成について説明する。図６は、実施形態のＩＣカード１００の内部構成を示す分解斜視図である。ＩＣカード１００は、第１の面１００―１を有する印刷シート１１０、互いに接続されたアンテナコイル１３０およびＩＣチップ１４０が搭載された機能シート１２０、第２の面１００―２を有する印刷シート１５０が順に積層された構成となっている。また、図示しない厚み調整シート等が、印刷シート１１０と印刷シート１５０の間の任意の箇所に挿入される。ＩＣチップ１４０は、制御部１４２と記憶部１４４を備える。制御部１４２は、例えばＣＰＵ等のプロセッサを含む。また、記憶部１４４は、例えばＥＥＰＲＯＭ（Electrically  Erasable  Programmable  Read-Only  Memory）等の書き換え可能な不揮発性メモリを含む。制御部１４２は、自動改札機１０のリーダライタ２２からアンテナコイル１３０が受信した書き込みコマンドに応じて、受信した情報を記憶部１４４に書き込む。記憶部１４４には、図４で例示した内容の情報が、エンコードされた状態で格納される。また、制御部１４２は、自動改札機１０のリーダライタ２２からアンテナコイル１３０が受信した読み出しコマンドに応じて、記憶部１４４から情報を読み出して、アンテナコイル１３０により自動改札機１０のリーダライタ２２に送信する。
【００２７】
以下、ＩＣカード１００を発券する発券機２００について説明する。発券機２００は、例えば、駅などに設置され、ＩＣカード１００を購入する利用者によって操作される。また、発券機２００は、利用者から申込書を提出された、駅係員によって操作されるものであってもよい。
【００２８】
図７は、実施形態のＩＣカード１００を発券する発券機２００の構成図である。発券機２００は、例えば、表示部２０２と、操作入力部２０４と、記憶部２０６と、通信部２０８と、制御部２１０と、ＩＣカード搬送部２１２、リーダライタ２１４と、印刷部２１６とを備える。
【００２９】
表示部２０２は、購入案内のための表示を行う。表示部２０２は、例えば、操作入力部２０４と一体のタッチパネルとして構成される。表示部２０２には、電子マネーのチャージ金額、回数券の１回分の運賃や回数などを指定するためのＧＵＩ（Graphical  User  Interface）スイッチ等が設定される。操作入力部２０４として機能するＧＵＩスイッチに対してタッチ操作がなされると、操作位置の情報等が制御部２１０に入力される。なお、操作入力部２０４は、機械式スイッチを備えるものであってもよい。記憶部２０６には、回数券についての料金テーブル等が格納されている。通信部２０８は、ＷＡＮ（Wide  Area  Network）やＬＡＮ（Local  Area  Network）等のネットワークを介して図示しない上位サーバと通信する。
【００３０】
制御部２１０は、例えばＣＰＵ等のプロセッサを含む。制御部２１０は、操作入力部２０４から入力された情報に基づき購入内容を確定させる。制御部２１０は、記憶部２０６に格納された料金テーブルを参照したり、通信部２０８を介して上位サーバに照会をおこなったりすることで、購入内容を確定させる。購入内容を確定させると、制御部２１０は、図示しないストック部に格納された発券前のＩＣカード１００をリーダライタ２１４の通信可能範囲に搬送するように、ＩＣカード搬送部２１２に指示する。
【００３１】
制御部２１０は、リーダライタ２１４に、確定した購入内容に基づくチャージ残高、回数券の残り回数および１回分の運賃等の情報を、ＩＣカード１００に書き込ませる。また、制御部２１０は、第１および第２の二次元コード１０２―１、１０２―２や可視情報１０４―１、１０４―２をＩＣカード１００の表面に印刷するように印刷部２１６に指示する。なお、予め印刷されたＩＣカード１００が発券機２００に供給される場合、印刷部２１６は省略することができる。
【００３２】
以下、第１の実施形態に係る自動改札機１０により実行される処理の流れについて説明する。なお、磁気券に関する処理の流れの説明は省略する。図８は、第１の実施形態に係る自動改札機１０により実行される入場処理の流れを示すフローチャートである。本フローチャートの処理は、リーダライタ２２がＩＣカード１００または携帯電話等の電子デバイスを検知したときに開始される。
【００３３】
まず、自動改札機１０は、リーダライタ２２により検知されたものがＩＣカード１００以外であるか否かを判定する（ステップＳ３００）。本判定は、カメラ２４により撮像された画像に基づいて行ってもよいし、リーダライタ２２が受信したＩＣカードまたは電子デバイスの識別情報を参照して行ってもよい。ここで、「ＩＣカード１００以外である」とは、携帯電話等の電子デバイスの他、第１または第２の二次元コード１０２―１、１０２―２が印刷されていないＩＣカードを含むものとしてよい。
【００３４】
リーダライタ２２により検知されたものがＩＣカード１００以外である場合、ＳＦ処理部５６が、電子マネーのチャージ残高が当該駅の最低運賃以上であるか否かを判定する（ステップＳ３０２）。電子マネーのチャージ残高が当該駅の最低運賃以上である場合、ＳＦ処理部５６は、利用者の入場を許可する（ステップＳ３０４）。この場合、前述したように、ＳＦ処理部５６は、入場駅情報をＩＣカード１００に書き込むようにエンコード部５４およびリーダライタ２２に指示し、チャージ残高等を表示部２０に表示させるように表示制御部６４に指示し、扉部４０を開放状態にするように扉制御部６６に指示する。一方、電子マネーのチャージ残高が最低運賃未満である場合、ＳＦ処理部５６は、利用者の入場を不許可とする（ステップＳ３１２）。この場合、前述したように、ＳＦ処理部５６は、残高不足である旨の情報を表示部２０に表示させるように表示制御部６４に指示し、扉部４０を閉止状態にするように扉制御部６６に指示する。
【００３５】
リーダライタ２２により検知されたものがＩＣカード１００である場合、利用面判定部６２が、ＩＣカード１００の第１の面１００―１を上向きにしてＩＣカード１００が翳されたか否かを判定する（ステップＳ３０６）。ＩＣカード１００の第１の面１００―１を上向きにしてＩＣカード１００が翳された場合、ステップＳ３０２以下の処理が実行される。
【００３６】
ＩＣカード１００の第１の面１００―１を下向きにしてＩＣカード１００が翳された場合、回数券処理部５８が、回数券の残り回数が１回以上であるか否かを判定する（ステップＳ３０８）。回数券の残り回数が１回以上である場合、回数券処理部５８は、回数券の１回分の運賃が最低運賃以上であるか否かを判定する（ステップＳ３１０）。回数券の残り回数が１回以上であり、且つ回数券の１回分の運賃が最低運賃以上である場合、回数券処理部５８は、入場を許可する（ステップＳ３０４）。入場を許可する場合の動作は、ＳＦ処理部５６による動作と同様であってよい。一方、回数券の残り回数が１回未満である場合、または回数券の１回分の運賃が最低運賃未満である場合、回数券処理部５８は、利用者の入場を不許可とする（ステップＳ３１２）。入場を不許可とする場合の動作は、ＳＦ処理部５６による動作と同様であってよい。
【００３７】
図９は、第１の実施形態に係る自動改札機１０により実行される出場処理の流れを示すフローチャートである。本フローチャートの処理は、リーダライタ２２がＩＣカード１００または携帯電話等の電子デバイスを検知したときに開始される。
【００３８】
まず、自動改札機１０は、リーダライタ２２により検知されたものがＩＣカード１００以外であるか否かを判定する（ステップＳ４００）。
【００３９】
リーダライタ２２により検知されたものがＩＣカード１００以外である場合、ＳＦ処理部５６が、当該駅までの運賃を計算し（ステップＳ４０２）、電子マネーのチャージ残高が運賃以上であるか否かを判定する（ステップＳ４０４）。電子マネーのチャージ残高が運賃以上である場合、ＳＦ処理部５６は、電子マネーのチャージ残高から運賃を差し引いた更新後のチャージ残高をＩＣカード１００に書き込むように制御し（ステップＳ４０６）、利用者の出場を許可する（ステップＳ４０８）。この場合、前述したように、ＳＦ処理部５６は、運賃が差し引かれた更新後のチャージ残高を表示部２０に表示させるように表示制御部６４に指示し、扉部４０を開放状態にするように扉制御部６６に指示する。一方、電子マネーのチャージ残高が運賃未満である場合、ＳＦ処理部５６は、利用者の出場を不許可とする（ステップＳ４２０）。この場合、前述したように、ＳＦ処理部５６は、チャージを促す情報を表示部２０に表示させるように表示制御部６４に指示し、扉部４０を閉止状態にするように扉制御部６６に指示する。
【００４０】
リーダライタ２２により検知されたものがＩＣカード１００である場合、利用面判定部６２が、ＩＣカード１００の第１の面１００―１を上向きにしてＩＣカード１００が翳されたか否かを判定する（ステップＳ４１０）。ＩＣカード１００の第１の面１００―１を上向きにしてＩＣカード１００が翳された場合、ステップＳ４０２以下の処理が実行される。
【００４１】
ＩＣカード１００の第１の面１００―１を下向きにしてＩＣカード１００が翳された場合、回数券処理部５８が、当該駅までの運賃を計算する（ステップＳ４１２）。そして、回数券処理部５８は、回数券の残り回数が１回以上であるか否かを判定する（ステップＳ４１４）。回数券の残り回数が１回以上である場合、回数券処理部５８は、回数券の１回分の運賃が最低運賃以上であるか否かを判定する（ステップＳ４１６）。回数券の残り回数が１回以上であり、且つ回数券の１回分の運賃が最低運賃以上である場合、回数券処理部５８は、回数券の残り回数から１を差し引いた更新後の残り回数をＩＣカード１００に書き込むように制御し（ステップＳ４１８）、出場を許可する（ステップＳ４０８）。出場を許可する場合の動作は、ＳＦ処理部５６による動作と同様であってよい。一方、回数券の残り回数が１回未満である場合、または回数券の１回分の運賃が最低運賃未満である場合、回数券処理部５８は、利用者の出場を不許可とする（ステップＳ４２０）。この場合、前述したように、回数券処理部５８は、精算機による清算を促す情報を表示部２０に表示させるように表示制御部６４に指示し、扉部４０を閉止状態にするように扉制御部６６に指示する。
【００４２】
以上説明した第１の実施形態によれば、従来、一つのＩＣカードによって利用者が一種類のサービスを受けることができなかったところを、複数のサービスのいずれかを利用者自らの選択で享受することができる。従って、利用者にとっての利便性を高めることができる。例えば、回数券に期限が設定されている場合、チャージ残高を用いた運賃支払いの方が安い場合であっても、回数券の方で支払いを行いたいような場面が想定される。また、回数券を多用することによって割引を受けようとするニーズを喚起することもできる。
【００４３】
なお、応用例として、まず第２の面１００―２を上向けにしてＩＣカードＩ／Ｆ部２０に翳し、回数券で運賃収受を行い、不足額が生じた場合、利用者がＩＣカード１００を反転させて再度ＩＣカードＩ／Ｆ部２０に翳すことで、不足額をチャージ残高から差し引くといった利用を許容してもよい。
【００４４】
（第２の実施形態）
以下、第２の実施形態について説明する。第２の実施形態に係る処理装置は、鉄道の駅等に設置される自動改札機である。自動改札機の外観構成については、図１を参照することとし、説明を省略する。図１０は、第２の実施形態に係るＩＣカードＩ／Ｆ部２０と、自動改札機１０を制御する制御部５０を中心とした機能構成図である。ＩＣカードＩ／Ｆ部２０は、第１の実施形態と同様の機能および構成を有する。第２の実施形態に係る制御部５０は、定期券処理部６８を更に備える。
【００４５】
定期券処理部６８は、ＩＣカードＩ／Ｆ部２０に翳されたＩＣカード１００が定期券である場合、当該駅が定期券区間内であるか否かを判定する。当該駅が入場駅である場合、定期券処理部６８は、当該駅が定期券区間内であれば入場を許可する。当該駅が出場駅である場合、定期券処理部６８は、入場駅と当該駅の双方が定期券区間内であれば出場を許可する。
【００４６】
図１１は、第２の実施形態に係るＩＣカード１００が保持する情報の一例を示す図である。第２の実施形態に係るＩＣカード１００は、自身の識別情報であるＩＤ、入場駅、経由駅、出場駅、チャージ残高、回数券残り回数、回数券１回分の運賃、定期券の区間および期限、過去の履歴などの情報を保持している。なお、ＩＣカード１００は、各履歴において運賃に代えて残高を保持してもよい。
【００４７】
図１２は、第２の実施形態に係る自動改札機１０により実行される入場処理の流れを示すフローチャートである。本フローチャートの処理は、リーダライタ２２がＩＣカード１００または携帯電話等の電子デバイスを検知したときに開始される。
【００４８】
まず、定期券処理部６８が、リーダライタ２２により検知されたものが定期券付きのＩＣカード１００または電子デバイスであるか否かを判定する（ステップＳ５００）。リーダライタ２２により検知されたものが定期券付きのＩＣカード１００または電子デバイスである場合、定期券処理部６８は、当該駅が定期券区間内であり、かつ当日が定期券の期限内であるか否かを判定する（ステップＳ５０２）。ステップＳ５００とＳ５０２の双方において肯定的な判定を得た場合、定期券処理部６８は、利用者の入場を許可する（ステップＳ５０４）。この場合、定期券処理部６８は、入場駅情報をＩＣカード１００に書き込むようにエンコード部５４およびリーダライタ２２に指示し、定期券での利用であることを表示部２０に表示させるように表示制御部６４に指示し、扉部４０を開放状態にするように扉制御部６６に指示する。一方、ステップＳ５００とＳ５０２のいずれかにおいて否定的な判定を得た場合、ＳＦ処理部５６および回数券処理部５８によって、図８のステップＳ３００〜Ｓ３１２の処理が実行される。これについて再度の説明は省略する。
【００４９】
図１３は、第２の実施形態に係る自動改札機１０により実行される出場処理の流れを示すフローチャートである。本フローチャートの処理は、リーダライタ２２がＩＣカード１００または携帯電話等の電子デバイスを検知したときに開始される。
【００５０】
まず、定期券処理部６８が、リーダライタ２２により検知されたものが定期券付きのＩＣカード１００または電子デバイスであるか否かを判定する（ステップＳ６００）。リーダライタ２２により検知されたものが定期券付きのＩＣカード１００または電子デバイスである場合、定期券処理部６８は、入場駅および当該駅が定期券区間内であり、かつ当日が定期券の期限内であるか否かを判定する（ステップＳ６０２）。ステップＳ６００とＳ６０２の双方において肯定的な判定を得た場合、定期券処理部６８は、利用者の出場を許可する（ステップＳ６０４）。この場合、定期券処理部６８は、定期券での利用であることを表示部２０に表示させるように表示制御部６４に指示し、扉部４０を開放状態にするように扉制御部６６に指示する。一方、ステップＳ６００とＳ６０２のいずれかにおいて否定的な判定を得た場合、ＳＦ処理部５６および回数券処理部５８によって、図９のステップＳ４００〜Ｓ４２０の処理が実行される。なお、ステップＳ４０２においてＳＦ処理部５６は、定期券区間の終端駅から当該駅までの運賃を計算し、ステップＳ４１２において回数券処理部５８は同様に、定期券区間の終端駅から当該駅までの運賃を計算すると読み替える。
【００５１】
以上説明した第２の実施形態によれば、第１の実施形態と同様、利用者にとっての利便性を高めることができる。また、定期券と通常のチャージ、および回数券というように、三種類以上のサービスを一つのＩＣカード１００によって利用可能にすることができる。
【００５２】
（第３の実施形態）
以下、第３の実施形態について説明する。第３の実施形態に係る処理装置は、鉄道の駅等に設置される自動改札機である。自動改札機の外観構成については、図１を参照することとし、説明を省略する。図１４は、第３の実施形態に係るＩＣカードＩ／Ｆ部２０と、自動改札機１０を制御する制御部５０を中心とした機能構成図である。ＩＣカードＩ／Ｆ部２０は、第１の実施形態と同様の機能および構成を有する。
【００５３】
第３の実施形態に係る制御部５０は、ＳＦ処理部５６および回数券処理部５８に代えて、私用ＳＦ処理部７０と公用ＳＦ処理部７２を備える。第３の実施形態に係るＩＣカード１００は、私用で用いられる電子マネーのチャージ残高（以下、私用チャージ残高）と、公用（公用、社用、その他、私用でないものをいう）で用いられる電子マネーのチャージ残高（以下、公用チャージ残高）との双方を保持している。ここで、公用チャージ残高とは、利用者が個人の出費でチャージを行うものではなく、勤務する会社や公共機関等の出費でチャージが行われるものである。図１５は、第３の実施形態に係るＩＣカード１００が保持する情報の一例を示す図である。第３の実施形態に係るＩＣカード１００は、自身の識別情報であるＩＤ、入場駅、経由駅、出場駅、私用チャージ残高、公用チャージ残高、過去の履歴などの情報を保持している。なお、ＩＣカード１００は、各履歴において運賃に代えて残高を保持してもよい。
【００５４】
図１６は、第３の実施形態に係るＩＣカード１００の外観図である。ＩＣカード１００の第１の面１００−１には、第１の二次元コード１０２―１と、例えば「私用チャージ」といった、人により認識可能な可視情報１０４−１とが印刷されている。一方、ＩＣカード１００の第２の面１００−２には、第２の二次元コード１０２―２と、例えば「公用チャージ」といった、人により認識可能な可視情報１０４−２とが印刷されている。
【００５５】
実施形態の自動改札機１０は、利用者によって、ＩＣカード１００が第１の面１００―１を上向きにして翳された場合、すなわち、反対側の第２の面１００―２がカメラ２４によって撮像された場合、第１の面１００―１に表示された「私用チャージ」に対応付けられた利用の意図（第１の面に対応付けられた利用の意図）を有すると判定する。従って、利用面判定部６２は、情報読取部６０により読み取られた情報が第２の二次元コード１０２―２に基づく情報である場合、私用チャージ残高に基づく処理を私用ＳＦ処理部７０に行わせる。第２の二次元コード１０２―２は、私用チャージ残高に基づく処理を示す識別情報等を含んでいる。
【００５６】
一方、実施形態の自動改札機１０は、利用者によって、ＩＣカード１００が第２の面１００―２を上向きにして翳された場合、すなわち、反対側の第１の面１００―１がカメラ２４によって撮像された場合、第２の面１００―２に表示された「公用チャージ」に対応付けられた利用の意図（第２の面に対応付けられた利用の意図）を有すると判定する。従って、利用面判定部６２は、情報読取部６０により読み取られた情報が第１の二次元コード１０２―１に基づく情報である場合、公用チャージ残高に基づく処理を公用ＳＦ処理部７２に行わせる。第１の二次元コード１０２―１は、公用チャージ残高に基づく処理を示す識別情報等を含んでいる。
【００５７】
これらによって、ＩＣカード１００を利用する利用者は、手前側に見えている可視情報１０４―１、１０４―２に対応する運賃処理を受けることができる。この結果、実施形態の自動改札機１０は、直感的に分かりやすいＩＣカード１００の利用の態様を提供することができる。
【００５８】
なお、ＩＣカード１００において、可視情報１０４−１および可視情報１０４−２の表示は省略されてもよく、抽象的なマーク、色彩等に置換されてもよい。また、二次元コードに代えて、ＩＣカード１００の翳された面がいずれであるかを識別可能な他の種類の情報が表示されてもよい。また、上記とは逆に、利用面判定部６２は、ＩＣカード１００が第１の面１００―１を上向きにして翳された場合、公用チャージ残高に基づく処理を公用ＳＦ処理部７２に行わせ、ＩＣカード１００が第２の面１００―２を上向きにして翳された場合、私用チャージ残高に基づく処理を私用ＳＦ処理部７０に行わせてもよい。
【００５９】
以下、第３の実施形態に係る自動改札機１０により実行される処理の流れについて説明する。なお、磁気券に関する処理の流れの説明は省略する。図１７は、第３の実施形態に係る自動改札機１０により実行される入場処理の流れを示すフローチャートである。本フローチャートの処理は、リーダライタ２２がＩＣカード１００または携帯電話等の電子デバイスを検知したときに開始される。
【００６０】
まず、自動改札機１０は、リーダライタ２２により検知されたものがＩＣカード１００以外であるか否かを判定する（ステップＳ７００）。本判定は、カメラ２４により撮像された画像に基づいて行ってもよいし、リーダライタ２２が受信したＩＣカードまたは電子デバイスの識別情報を参照して行ってもよい。ここで、「ＩＣカード１００以外である」とは、携帯電話等の電子デバイスの他、第１または第２の二次元コード１０２―１、１０２―２が印刷されていないＩＣカードを含むものとしてよい。
【００６１】
リーダライタ２２により検知されたものがＩＣカード１００以外である場合、私用ＳＦ処理部７０が、私用チャージ残高が当該駅の最低運賃以上であるか否かを判定する（ステップＳ７０２）。なお、本実施形態において、自動改札機１０は、携帯電話等の電子デバイスに記憶されたチャージ残高を私用チャージ残高として扱うものとする。私用チャージ残高が当該駅の最低運賃以上である場合、私用ＳＦ処理部７０は、利用者の入場を許可する（ステップＳ７０４）。この場合、私用ＳＦ処理部７０は、入場駅情報をＩＣカード１００に書き込むようにエンコード部５４およびリーダライタ２２に指示し、私用チャージ残高等を表示部２０に表示させるように表示制御部６４に指示し、扉部４０を開放状態にするように扉制御部６６に指示する。一方、私用チャージ残高が当該駅の最低運賃未満である場合、私用ＳＦ処理部７０は、利用者の入場を不許可とする（ステップＳ７１０）。この場合、私用ＳＦ処理部７０は、残高不足である旨の情報を表示部２０に表示させるように表示制御部６４に指示し、扉部４０を閉止状態にするように扉制御部６６に指示する。
【００６２】
リーダライタ２２により検知されたものがＩＣカード１００である場合、利用面判定部６２が、ＩＣカード１００の第１の面１００―１を上向きにしてＩＣカード１００が翳されたか否かを判定する（ステップＳ７０６）。ＩＣカード１００の第１の面１００―１を上向きにしてＩＣカード１００が翳された場合、ステップＳ７０２以下の処理が実行される。
【００６３】
ＩＣカード１００の第１の面１００―１を下向きにしてＩＣカード１００が翳された場合、公用ＳＦ処理部７２が、公用チャージ残高が当該駅の最低運賃以上であるか否かを判定する（ステップＳ７０８）。公用チャージ残高が当該駅の最低運賃以上である場合、公用ＳＦ処理部７２は、利用者の入場を許可する（ステップＳ７０４）。この場合、公用ＳＦ処理部７０は、入場駅情報をＩＣカード１００に書き込むようにエンコード部５４およびリーダライタ２２に指示し、公用チャージ残高等を表示部２０に表示させるように表示制御部６４に指示し、扉部４０を開放状態にするように扉制御部６６に指示する。一方、公用チャージ残高が当該駅の最低運賃未満である場合、公用ＳＦ処理部７２は、利用者の入場を不許可とする（ステップＳ７１０）。この場合、公用ＳＦ処理部７２は、残高不足である旨の情報を表示部２０に表示させるように表示制御部６４に指示し、扉部４０を閉止状態にするように扉制御部６６に指示する。
【００６４】
図１８は、第３の実施形態に係る自動改札機１０により実行される出場処理の流れを示すフローチャートである。本フローチャートの処理は、リーダライタ２２がＩＣカード１００または携帯電話等の電子デバイスを検知したときに開始される。
【００６５】
まず、自動改札機１０は、リーダライタ２２により検知されたものがＩＣカード１００以外であるか否かを判定する（ステップＳ８００）。
【００６６】
リーダライタ２２により検知されたものがＩＣカード１００以外である場合、私用ＳＦ処理部７０が、当該駅までの運賃を計算し（ステップＳ８０２）、私用チャージ残高が運賃以上であるか否かを判定する（ステップＳ８０４）。私用チャージ残高が運賃以上である場合、私用ＳＦ処理部７０は、私用チャージ残高から運賃を差し引いた更新後のチャージ残高をＩＣカード１００に書き込むように制御し（ステップＳ８０６）、利用者の出場を許可する（ステップＳ８０８）。この場合、私用ＳＦ処理部７０は、運賃が差し引かれた更新後の私用チャージ残高を表示部２０に表示させるように表示制御部６４に指示し、扉部４０を開放状態にするように扉制御部６６に指示する。一方、私用チャージ残高が運賃未満である場合、私用ＳＦ処理部７０は、利用者の出場を不許可とする（ステップＳ８１８）。この場合、私用ＳＦ処理部７０は、チャージを促す情報を表示部２０に表示させるように表示制御部６４に指示し、扉部４０を閉止状態にするように扉制御部６６に指示する。
【００６７】
リーダライタ２２により検知されたものがＩＣカード１００である場合、利用面判定部６２が、ＩＣカード１００の第１の面１００―１を上向きにしてＩＣカード１００が翳されたか否かを判定する（ステップＳ８１０）。ＩＣカード１００の第１の面１００―１を上向きにしてＩＣカード１００が翳された場合、ステップＳ８０２以下の処理が実行される。
【００６８】
ＩＣカード１００の第１の面１００―１を下向きにしてＩＣカード１００が翳された場合、公用ＳＦ処理部７２が、当該駅までの運賃を計算する（ステップＳ８１２）。そして、公用ＳＦ処理部７２は、公用チャージ残高が運賃以上であるか否かを判定する（ステップＳ８１４）。公用チャージ残高が運賃以上である場合、公用ＳＦ処理部７２は、公用チャージ残高から運賃を差し引いた更新後のチャージ残高をＩＣカード１００に書き込むように制御し（ステップＳ８１６）、利用者の出場を許可する（ステップＳ８０８）。この場合、公用ＳＦ処理部７２は、運賃が差し引かれた更新後の私用チャージ残高を表示部２０に表示させるように表示制御部６４に指示し、扉部４０を開放状態にするように扉制御部６６に指示する。一方、公用チャージ残高が運賃未満である場合、公用ＳＦ処理部７２は、利用者の出場を不許可とする（ステップＳ８１８）。この場合、公用ＳＦ処理部７２は、チャージを促す情報を表示部２０に表示させるように表示制御部６４に指示し、扉部４０を閉止状態にするように扉制御部６６に指示する。
【００６９】
以上説明した第３の実施形態によれば、第１の実施形態と同様、利用者にとっての利便性を向上させることができる。
【００７０】
上記説明した実施形態では、処理装置は自動改札機であるものとした。しかしながら、これに限らず、処理装置は、クレジットカードやＩＣ機能付きキャッシュカード等に対する処理を行う装置として実施されてもよい。この場合、例えば私用と公用の口座を使い分けるといった利用の態様を実現することができる。この場合、処理装置は、クレジットカードやキャッシュカード用のリーダライタ、および付随する情報処理装置により構成される。
【００７１】
また、上記説明した実施形態では、ＩＣカード１００は、その両面に二次元コード等の情報を表示するものとしたが、ＩＣカード１００は、片側にのみ二次元コード等の情報を表示し、処理装置は、ＩＣカード１００の翳された面を撮像した画像の解析結果に加えて、ＩＣカード１００が有するフラグ情報（片面に二次元コード等の情報を表示するＩＣカードであるか否か）を加味して、ＩＣカード１００の翳された面を判定するようにしてもよい。
【００７２】
また、上記説明した各実施形態は、互いに排他的な関係にあるものではなく、例えば第２の実施形態と第３の実施形態が組み合わされ、定期券の処理と私用チャージまたは公用チャージに基づく運賃収受が１つの自動改札機１０によって実行されてもよい。
【００７３】
以上説明した少なくともひとつの実施形態によれば、ＩＣカードと通信を行う通信部（リーダライタ２２）と、利用者によって翳されたＩＣカードが表示する情報を光学的に読み取る光学読取部（カメラ２４）と、光学読取部により読み取られた情報に基づいて、ＩＣカードを利用する利用者が、ＩＣカードの第１の面に対応付けられた利用の意図を有するか、ＩＣカードの第２の面に対応付けられた利用の意図を有するかを判定する判定部（利用面判定部６２）と、判定部による判定結果に基づいて、利用の意図に応じた処理を実行し、実行結果に基づく通信を通信部に行わせる処理部（ＳＦ処理部５６および回数券処理部５８、または、私用ＳＦ処理部７０および公用ＳＦ処理部７２）とを持つことにより、利用者にとっての利便性を向上させることができる。
【００７４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１０…自動改札機、２０…ＩＣカードＩ／Ｆ部、３０…表示部、４０、４２…扉部、５０…制御部、５２…デコード部、５４…エンコード部、５６…ＳＦ処理部、５８…回数券処理部、６０…情報読取部、６２…利用面判定部、６４…表示制御部、６６…扉制御部、６８…定期券処理部、７０…私用ＳＦ処理部、７２…公用ＳＦ処理部、１００…ＩＣカード、１０２−１…第１の二次元コード、１０２−２…第２の二次元コード、１０４−１、１０４−２…可視情報、２００…発券機
【図１】
2016057686.tif 000003
【図２】
2016057686.tif 000004
【図３】
2016057686.tif 000005
【図４】
2016057686.tif 000006
【図５】
2016057686.tif 000007
【図６】
2016057686.tif 000008
【図７】
2016057686.tif 000009
【図８】
2016057686.tif 000010
【図９】
2016057686.tif 000011
【図１０】
2016057686.tif 000012
【図１１】
2016057686.tif 000013
【図１２】
2016057686.tif 000014
【図１３】
2016057686.tif 000015
【図１４】
2016057686.tif 000016
【図１５】
2016057686.tif 000017
【図１６】
2016057686.tif 000018
【図１７】
2016057686.tif 000019
【図１８】
2016057686.tif 000020